(57)【特許請求の範囲】
【請求項１】
入力された入力テレビジョン放送信号を、予め定められた中心周波数を持つ出力テレビジョン放送信号に周波数変換する周波数変換装置であって、
前記入力テレビジョン放送信号よりも周波数が低い第１中間周波信号に、第１局部発振信号によって前記入力テレビジョン放送信号を周波数変換する第１周波数変換手段と、
前記第１局部発振信号を、前記入力テレビジョン放送信号の中心周波数に対して前記第１中間周波信号の中心周波数を加算または減算した値の周波数のものとして、前記第１周波数変換手段に供給する第１局部発振手段と、
前記第１中間周波信号よりも周波数が高く前記出力テレビジョン放送信号の中心周波数よりも低い第２中間周波信号に、第２局部発振信号によって前記第１中間周波信号を周波数変換する第２周波数変換手段と、
前記第２局部発振信号を、前記第２中間周波信号の中心周波数に対して前記第１中間周波信号の中心周波数を加算または減算した値の周波数のものとして、前記第２周波数変換手段に供給する第２局部発振手段と、
第３局部発振信号によって第２中間周波信号を前記出力テレビジョン放送信号に周波数変換する第３周波数変換手段と、
前記第３局部発振信号を、前記出力テレビジョン放送信号の中心周波数に対して前記第２中間周波信号の中心周波数を加算または減算した値の周波数を持つものとし、前記第３周波数変換手段に供給する第３局部発振手段とを、
具備し、前記第１乃至第３局部発振信号の周波数は、ＶＨＦ帯乃至ＵＨＦ帯に存在し、
前記第３周波数変換手段の出力側に、前記出力テレビジョン放送信号を通過させるフィルタ手段が設けられている
周波数変換装置。
【請求項２】
請求項１記載の周波数変換装置において、前記入力テレビジョン放送信号はＵＨＦ帯に存在し、前記出力テレビジョン放送信号は、ＶＨＦ帯、ミッドバンド、スーパーハイバンドまたはＵＨＦ帯に存在し、第２中間周波信号はＵＨＦ帯に存在する周波数変換装置。
【請求項３】
請求項２記載の周波数変換装置において、前記第３の周波数変換手段の出力側に、前記ＶＨＦ帯、ミッドバンド、スーパーハイバンド及びＵＨＦ帯用のフィルタがそれぞれ並列に接続されている周波数変換装置。
【発明の詳細な説明】
【技術分野】
【０００１】
本発明は、周波数変換装置に関し、特にテレビジョン放送信号を周波数変換するものに関する。
【背景技術】
【０００２】
テレビジョン放送信号、例えば地上デジタル放送信号を受信し、その周波数を他の周波数に変換するアジャイル型の周波数変換装置の一例が、特許文献１に開示されている。特許文献１の技術では、入力側ミキサに供給されたＵＨＦ帯の地上デジタルテレビジョン放送信号を、入力側ミキサに供給されている入力側局部発振信号によって中間周波信号に周波数変換し、これを出力側ミキサに供給し、出力側ミキサに供給されている出力側局部発振信号によってＵＨＦ帯の所望周波数の出力地上デジタルテレビジョン放送信号に変換している。
【先行技術文献】
【特許文献】
【０００３】
【特許文献１】特開２００７−２９５３３４号公報
【発明の概要】
【発明が解決しようとする課題】
【０００４】
このような技術では、第１中間周波信号の中心周波数を例えば５７ＭＨｚとすることがある。これは、比較的安価なＳＡＷフィルタを使用することが可能であるからである。この場合、出力側局部発振信号は、出力地上デジタルテレビジョン放送信号の中心周波数に対して５７ＭＨｚを加算した値または減算した値となる。この第２局部発振信号が、漏洩して出力側ミキサの出力信号に含まれることがある。この第２局部発振信号を出力信号から除去しようとすると、出力地上デジタルテレビジョン放送信号の中心周波数と出力側局部発振信号との周波数が５７ＭＨｚしか離れていないので、急峻な選択特性のフィルタを出力側ミキサの出力側に設けなければならず、高コストとなる。特にアジャイル型の周波数変換装置では、出力地上デジタルテレビジョン放送信号の中心周波数が工場出荷時に確定しておらず、様々な周波数のフィルタを準備しなければならない。例えば中間周波信号の中心周波数をＧＨｚ帯とすれば、急峻な特性のフィルタを使用する必要はないが、局部発振信号の位相雑音劣化や周波数偏差の影響を受けやすくなる。
【０００５】
本発明は、最終段に使用するミキサの出力側に設けるフィルタに緩やかな選択特性のものを使用することができ、かつ局部発振信号の位相雑音劣化や周波数偏差の影響を出力テレビジョン放送信号が受けにくい周波数変換装置を提供することを目的とする。
【課題を解決するための手段】
【０００６】
本発明の一態様の周波数変換装置は、入力された入力テレビジョン放送信号を、予め定められた中心周波数を持つ出力テレビジョン放送信号に周波数変換するものである。入力テレビジョン放送信号及び出力テレビジョン放送信号としては、共にＵＨＦ帯に中心周波数を持つものを使用することができる。第１周波数変換手段が、前記入力テレビジョン放送信号よりも周波数が低い第１中間周波信号に、第１局部発振信号によって前記入力テレビジョン放送信号を周波数変換する。第１中間周波信号は、例えばＵＨＦ帯またはＶＨＦ帯に中心周波数を持つものとすることができる。第１局部発振手段が、前記第１局部発振信号を、前記入力テレビジョン放送信号の中心周波数に対して前記第１中間周波信号の中心周波数を加算または減算した値の周波数のものとして、前記第１周波数変換手段に供給する。第１中間周波信号は、その中心周波数がＶＨＦ帯に存在するものとすることが望ましい。第２周波数変換手段が、前記第１中間周波信号よりも周波数の高く前記出力テレビジョン放送信号の中心周波数よりも低い第２中間周波信号に、第２局部発振信号によって前記第１中間周波信号を周波数変換する。第２中間周波信号は、入力テレビジョン放送信号と第１中間周波信号との間に中心周波数を有するものとすることもできる。或いは、入力テレビジョン放送信号よりも高い中心周波数を有するものとすることができる。但し、ＧＨｚ帯とすることはない。第２局部発振手段が、前記第２局部発振信号を、前記第２中間周波信号の中心周波数に対して前記第１中間周波信号の中心周波数を加算または減算した値の周波数のものとして、前記第２周波数変換手段に供給する。第３周波数変換手段が、第３局部発振信号によって第２中間周波信号を前記出力テレビジョン放送信号に周波数変換する。第３局部発振手段が、前記第３局部発振信号を、前記出力テレビジョン放送信号の中心周波数に対して前記第２中間周波信号の中心周波数を加算または減算した値の周波数を持つものとし、前記第３周波数変換手段に供給する。前記第１乃至第３局部発振信号の周波数は、ＶＨＦ帯乃至ＵＨＦ帯に存在する。即ち、第１及び第２中間周波信号は、ＶＨＦ帯乃至ＵＨＦ帯に存在する。第３周波数変換手段の出力側に、前記出力テレビジョン放送信号を通過させるフィルタ手段が設けられている。
【０００７】
このように構成された周波数変換装置では、第３局部発振信号の周波数が、出力テレビジョン放送信号の中心周波数と第２中間周波信号の中心周波数だけ離れており、第２中間周波信号の中心周波数は、第１中間周波信号と入力テレビジョン放送信号との間の周波数、または入力テレビジョン放送信号よりも高い周波数であるので、出力テレビジョン放送信号と第３局部発振信号とは充分に離れており、第３周波数変換手段の出力信号に第３局部発振信号が含まれていても、特性が緩やかなフィルタを第３周波数変換手段の出力側に設けることによって第３局部発振信号を除去することができる。
【０００８】
前記入力テレビジョン放送信号はＵＨＦ帯に存在し、前記出力テレビジョン放送信号は、ＶＨＦ帯、ミッドバンド、スーパーハイバンドまたはＵＨＦ帯に存在し、第２中間周波信号はＵＨＦ帯に存在するものとすることができる。このように構成すると、第３局部発振信号は、充分に出力テレビジョン放送信号と周波数が離れたものとなり、第３周波数変換手段の出力側のフィルタは、選択特性の緩やかなものを確実に使用することができる。
【０００９】
さらに、前記第３の周波数変換手段の出力側に、前記ＶＨＦ帯、ミッドバンド、スーパーハイバンド及びＵＨＦ帯用のフィルタをそれぞれ並列に接続することができる。このように構成すれば、第３局部発振手段の発振周波数を変換することによって、出力テレビジョン放送信号の中心周波数を、ＶＨＦ帯、ミッドバンド、スーパーハイバンド及びＵＨＦ帯のいずれにも容易に変更することができる。
【発明の効果】
【００１２】
以上のように、本発明によれば、出力テレビジョン放送信号を出力する周波数変換手段の出力側に設けるフィルタに緩やかな選択特性のものを使用することができる。また、使用する局部発振信号の周波数をＧＨｚ帯とする必要がないので、出力テレビジョン放送信号が、局部発振信号の位相雑音劣化や周波数偏差の影響を受けにくい。
【図面の簡単な説明】
【００１３】
【図１】本発明の１実施形態の周波数変換装置のブロック図である。
【図２】図１の周波数変換装置における各部の信号の周波数関係を示す図である。
【図３】従来の周波数変換装置における各部の信号の周波数関係を示す図である。
【図４】本発明関連技術による周波数変換装置のブロック図である。
【図５】図４の周波数変換装置における各部の信号の周波数関係を示す図である。
【発明を実施するための形態】
【００１４】
本発明の１実施形態の周波数変換装置は、これに供給された入力テレビジョン放送信号、例えばＵＨＦ帯の所定チャンネルの入力地上デジタルテレビジョン放送信号を、複数の周波数帯、例えばＵＨＦ帯、ＶＨＦ帯、ミッドバンド及びスーパーハイバンドのうち選択された周波数帯における予め定められた周波数に中心周波数を持つ出力チャンネルの出力テレビジョン放送信号、例えば出力地上デジタルテレビジョン放送信号に周波数変換するものである。入力地上デジタルテレビジョン放送信号及び出力地上デジタルテレビジョン放送信号のチャンネルが、例えばこの周波数変換装置の施工現場において設定されるものである。
【００１５】
この周波数変換装置は、入力端子２を有し、これに上述した入力地上デジタルテレビジョン放送信号ｆ１が供給される。入力端子２と基準電位点、例えば接地電位点との間には、不要な高周波成分を除去するための高周波阻止コイル３が接続されている。入力端子２に供給された入力地上デジタルテレビジョン放送信号ｆ１は、直流阻止コンデンサ４、周波数可変フィルタ（ＶＦ）６を介して増幅手段、例えば増幅器８に供給される。増幅器８で増幅された入力地上デジタルテレビジョン放送信号ｆ１は、ゲインコントローラ（ＧＣ）１０、周波数可変フィルタ１２を介して増幅器１４に供給され、ここで増幅された後、周波数可変フィルタ１６を介して、第１の周波数変換手段、例えば入力側ミキサ１８に供給される。
【００１６】
周波数可変フィルタ６、１２、１６では、制御手段、例えばマイクロコンピュータ２０からＤ／Ａ変換器２２を介して供給される選択周波数制御信号に基づいて、これら周波数可変フィルタ６、１２、１６の通過周波数帯が変更される。この選択周波数制御信号は、マイクロコンピュータ２０に入出力チャンネル設定スイッチ２４によって設定された入力地上デジタル放送信号のチャンネルに応じてマイクロコンピュータ２０が生成する。選択周波数が制御された周波数可変フィルタ６、１２、１６によって、入力地上デジタル放送信号ｆ１のイメージ信号が除去される。
【００１７】
入力側ミキサ１８には、第１局部発振手段、例えば入力側局部発振回路２６から第１局部発振信号１ｓｔＬＯが供給されている。入力側局部発振回路２６は、電圧制御発振器２６ａ及びＰＬＬ回路２６ｂからなる。第１局部発振信号１ｓｔＬＯは、入力地上デジタルテレビジョン放送信号ｆ１を、例えば中心周波数が５７ＭＨｚと予め設定された第１中間周波信号ｆＩＦ１に周波数変換できるように、入力地上デジタルテレビジョン放送信号ｆ１に、５７ＭＨｚを加算した値の周波数に設定されている。
【００１８】
この設定のために、マイクロコンピュータ２０が、入出力チャンネル設定スイッチ２４によって設定された入力地上デジタルテレビジョン放送信号のチャンネルに応じてＰＬＬ回路２６ｂに分周比を設定している。また、ＰＬＬ回路２６ｂには基準信号発生回路２８から基準信号が供給されている。このように第１局部発振信号１ｓｔＬＯの周波数が設定されているので、入力側ミキサ１８によって、入力地上デジタルテレビジョン放送信号は、その周波数よりも低い第１中間周波信号ｆＩＦ１にダウンコンバートされる。
【００１９】
この入力側ミキサ１８の出力信号は、バンドパスフィルタ（ＢＰＦ）３０、増幅器３２、ＳＡＷフィルタ３４、増幅器３６、ＳＡＷフィルタ３８、増幅器４０を介して分岐手段、例えば１分岐器４２に供給される。バンドパスフィルタ３０、ＳＡＷフィルタ３４、３８によって、第１中間周波信号ｆＩＦ１以外の不要な信号が入力側ミキサ１８の出力信号から除去される。また、第１中間周波信号ｆＩＦ１は、増幅器３６、４０によって所定のレベルにまで増幅される。５７ＭＨｚ用のＳＡＷフィルタ３４、３８には、市販品があり、高い選択性で第１中間周波信号ｆＩＦ１のみを安価で抽出することができる。
【００２０】
１分岐器４２によって分岐された第１中間周波信号ｆＩＦ１は、増幅器４４で増幅された後、レベル検出手段、例えば検波器（ＤＥＴ）４６で検波される。その検波信号が比較手段、例えば比較器４８において、予め定められたＡＧＣ基準信号と比較される。検波信号とＡＧＣ基準信号との差分を表すＡＧＣ制御信号を比較器４８が発生し、これがゲインコントローラ１０に供給され、検波信号の値がＡＧＣ基準信号に一致するように入力地上デジタルテレビジョン放送信号ｆ１のレベルが調整される。
【００２１】
１分岐器４２の出力信号である第１中間周波信号ｆＩＦ１は、ローパスフィルタ５０を介して第２周波数変換手段、例えば中間側ミキサ５２に供給される。中間側ミキサ５２には、第２局部発振手段、例えば中間側局部発振回路５４からの第２局部発振信号２ｎｄＬＯも供給されている。中間側局部発振回路５４は、電圧制御発振器５４ａとＰＬＬ回路５４ｂとから構成され、基準信号発生回路２８から基準信号が供給されている。中間側ミキサ５２は、第１中間周波信号ｆＩＦ１を、第２局部発振信号２ｎｄＬＯによって、第１中間周波信号ｆＩＦ１よりも高い周波数に中心周波数が予め設定された第２中間周波信号ｆＩＦ２に周波数変換する。即ち、アップコンバートする。
【００２２】
第２中間周波信号ｆＩＦ２の中心周波数は、出力地上デジタルテレビジョン放送信号ｆｃのチャンネルが、ＵＨＦ帯及びスーパーハイバンドの場合には１３０ＭＨｚに予め設定され、ＶＨＦ帯及びミッドバンドの場合、２５０ＭＨｚに予め設定されている。そのため、第２局部発振信号２ｎｄＬＯの周波数は、第１中間周波信号ｆＩＦ１の周波数５７ＭＨｚに対して第２中間周波信号ｆＩＦ２の中心周波数１３０ＭＨｚまたは２５０ＭＨｚを減算した値７３ＭＨｚまたは１９３ＭＨｚとなる。入出力チャンネル設定スイッチ２４によって設定された出力チャンネルの周波数帯（ＵＨＦ帯かそれ以外の帯域か）に応じて、電圧制御発振器５４ａが７３ＭＨｚまたは１９３ＭＨｚの第２局部発振信号２ｎｄＬＯを発振するように、マイクロコンピュータ２０からＰＬＬ回路５４ｂに分周比が設定される。
【００２３】
中間側ミキサ５２の出力信号は、並列に接続された２つの第２中間周波用バンドバスフィルタ５６、５８を介して増幅器６０で増幅されて、第３周波数変換手段、例えば出力側ミキサ６２に供給される。第２中間周波用バンドパスフィルタ５６は、第２中間周波信号ｆＩＦ２の中心周波数が１３０ＭＨｚの場合用のもので、第２中間周波用バンドパスフィルタ５８は、第２中間周波信号ｆＩＦ２の中心周波数が２５０ＭＨｚの場合用のものである。これら第２中間周波用バンドバスフィルタ５６、５８によって中間側ミキサ５２の出力信号から不要な信号を除去して得られた第２中間周波信号ｆＩＦ２が増幅器６０で増幅されて、出力側ミキサ６２に供給される。
【００２４】
出力側ミキサ６２には、第３局部発振手段、例えば出力側局部発振回路６４からの第３局部発振信号３ｒｄＬＯも供給されている。出力側局部発振回路６４も、電圧制御発振器６４ａとＰＬＬ回路６４ｂとから構成され、基準信号発生回路２８から基準信号が供給されている。出力側ミキサ６２は、第２中間周波信号ｆＩＦ２を、第３局部発振信号３ｒｄＬＯによって出力地上デジタルテレビジョン放送信号ｆｃに周波数変換する。
【００２５】
第３局部発振信号３ｒｄＬＯの周波数は、出力地上デジタルテレビジョン放送信号ｆｃの中心周波数に対して第２中間周波信号ｆＩＦ２の中心周波数１３０ＭＨｚまたは２５０ＭＨｚを加算した値となる。ＰＬＬ回路５４ｂには、マイクロコンピュータ２０から、入出力チャンネル設定スイッチ２４によって設定された出力チャンネルに応じて電圧制御発振器６４ａが第３局部発振信号３ｒｄＬＯを発振するようにＰＬＬ回路６４ｂに分周比が設定される。
【００２６】
出力側ミキサ６２の出力信号は、ＵＨＦ帯用のバンドパスフィルタ６６と周波数可変フィルタ６８の直列回路と、ミッドバンド用バンドパスフィルタ７０と、スーパーハイバンド用バンドパスフィルタ７２と、ＶＨＦ帯用バンドパスフィルタ７４との並列回路を介して増幅器７６に供給される。なお、周波数可変フィルタ６８が通過させる周波数帯は、Ｄ／Ａ変換器６９を介してマイクロコンピュータ２０によって変更される。
【００２７】
出力地上デジタルテレビジョン放送信号ｆｃがＵＨＦ帯の場合、ＵＨＦ帯用バンドパスフィルタ６６と可変フィルタ６８とによって出力側ミキサ６２の出力信号から不要信号が除去されて、増幅器７６に供給される。出力地上デジタルテレビジョン放送信号ｆｃがミッドバンドの場合、ミッドバンド用バンドパスフィルタ７０によって出力側ミキサ６２の出力信号から不要信号が除去されて、増幅器７６に供給される。出力地上デジタルテレビジョン放送信号ｆｃがスーパーハイバンドの場合、スーパーハイバンド用バンドパスフィルタ７２によって出力側ミキサ６２の出力信号から不要信号が除去されて、増幅器７６に供給される。出力地上デジタルテレビジョン放送信号ｆｃがＶＨＦ帯の場合、ＶＨＦ帯用バンドパスフィルタ７４によって出力側ミキサ６２の出力信号から不要信号が除去されて、増幅器７６に供給される。
【００２８】
増幅器７６の出力信号は、ゲインコントローラ７８、減衰器（ＡＴＴ）８０を介して、フィルタの並列回路を介して増幅器８２に供給される。この並列回路は、周波数可変フィルタ６８と同様な周波数可変フィルタ６８ａと、減衰器８４との直列回路と、ミッドバンド用バンドパスフィルタ７０ａと、スーパーハイバンド用バンドパスフィルタ７２ａと、ＶＨＦ帯用バンドパスフィルタ７４ａからなる。周波数可変フィルタ６８ａは、周波数可変フィルタ６８と同様にＤ／Ａ変換器６９を介してマイクロコンピュータ２０から制御される。
【００２９】
増幅器７６、ゲインコントローラ７８及び増幅器８２は、スケルチ信号（ＳＱ）によって制御される。このスケルチ信号は、検波器４６の検波信号を比較器８６においてスケルチ基準信号と比較し、検波器４６の検波信号がスケルチ基準信号よりも小さいときに発生される。
【００３０】
増幅器８２の出力信号は、ハイパスフィルタ８８と直流阻止コンデンサ９０とを介して出力端子９２に供給される。また出力端子９２に外部から供給された直流＋５Ｖの電圧が高周波阻止コイル９４を介して、この周波数変換装置の各能動装置に供給され、これらを動作させている。
【００３１】
図２（ａ）は、入力地上デジタルテレビジョン放送信号ｆ１、第１局部発振信号１ｓｔＬＯ、第１中間周波信号ｆＩＦ１の周波数関係を示したもので或る。同図（ｂ）は、第１中間周波信号ｆＩＦ１、第２中間周波信号ｆＩＦ２、第２局部発振信号２ｎｄＬＯの周波数関係を示したもので或る。同図（ｃ）は、第２中間周波信号ｆＩＦ２、出力地上デジタルテレビジョン放送信号ｆｃ、第３局部発振信号３ｒｄＬＯの周波数関係を示したものである。出力地上デジタルテレビジョン放送信号の中心周波数を５５０ＭＨｚとしているので、第３局部発振信号の周波数は６８０ＭＨｚである。両者の間には第２局部発振信号ｆＩＦ２の中心周波と同じ１３０ＭＨｚの差がある。
【００３２】
図３は、第１中間周波信号ｆＩＦ１を直接に中心周波数が５５０ＭＨｚの出力地上デジタルテレビジョン放送信号ｆｃに周波数変換した場合の周波数関係を示したものである。この場合、局部発振信号ＬＯは６０７ＭＨｚである。出力地上デジタルテレビジョン放送信号ｆｃと局部発振信号ＬＯとの間には、第１中間周波信号ｆＩＦ１の中心周波数と同じ周波数５７ＭＨｚしか周波数差が無い。従ってミキサの出力信号に漏洩した局部発振信号ＬＯを除去するためには、５７ＭＨｚしか周波数差が無い局部発振信号を除去することができる比較的選択性の鋭いフィルタを、ミキサの出力側に使用する必要がある。
【００３３】
これに対し、この周波数変換装置のように第１中間周波信号ｆＩＦ１を、それよりも周波数の高い第２中間周波信号に周波数変換した後に、第２中間周波信号を出力地上デジタルテレビジョン放送信号ｆｃに周波数変換すると、出力地上デジタルテレビジョン放送信号ｆｃとこれに対応する局部発振信号である第３局部発振信号３ｒｄＬＯとの間には、周波数が高い第２中間周波信号の中心周波数に相当する周波数差がある。従って、図３に示した場合よりも約倍の周波数差があるので、ＵＨＦ帯用のバンドパスフィルタ６６、周波数可変フィルタ６８、６８ａ、ミッドバンド用バンドパスフィルタ７０、７０ａ、スーパーハイバンド用バンドパスフィルタ７２、７２ａ、ＶＨＦ帯用バンドパスフィルタ７４、７４ａに、インダクタンス及びコンデンサによって構成された緩やかな周波数特性のフィルタを使用しても、第３局部発振信号を出力側ミキサ６２の出力信号から除去することができる。また、第１乃至第３局部発振信号は、いずれもＧＨｚ帯のものではないので、出力地上デジタルテレビジョン放送信号が、局部発振信号の位相雑音劣化や周波数偏差の影響を受けにくい。
【００３４】
本発明関連技術による周波数変換装置を図４及び図５に示す。第１の実施形態の周波数変換装置では、入力側ミキサ１８、入力側局部発振回路２６、中間側ミキサ５２、中間側発振回路５４、出力側ミキサ６２、出力側発振回路６４を使用して、３段階の周波数変換を行ったが、第２の実施形態の周波数変換装置では、図４に示すように、入力側ミキサ１８、入力側局部発振回路２６、出力側ミキサ６２、出力側発振回路６４を使用して、２段階の周波数変換を行っている。
【００３５】
図５（ａ）に示すように入力地上デジタルテレビジョン放送信号ｆ１の中心周波数が５００ＭＨｚとすると、第１中間周波数ｆＩＦ１の中心周波数は、入力地上デジタルテレビジョン放送信号ｆ１よりも周波数の低い１９０ＭＨｚに設定され、第１局部発振信号１ｓｔＬＯは、入力地上デジタルテレビジョン放送信号ｆ１の中心周波数と第１中間周波数ｆＩＦ１の中心周波数とを加算した６９０ＭＨｚに設定されている。また、出力側局部発振回路６４の第２局部発振信号の周波数は、同図（ｂ）に示すように、出力地上デジタルテレビジョン放送信号ｆｃの中心周波数を、入力地上デジタルテレビジョン放送信号ｆ１の中心周波数と同じ５００ＭＨｚとすると、第１中間周波信号の中心周波数と出力地上デジタルテレビジョン放送信号ｆｃの中心周波数とを加算した値の周波数の６９０ＭＨｚとされている。他の構成は、第１の実施形態の周波数変換装置で同一であるので、詳細な説明は省略する。
【００３６】
この周波数変換装置では、第１中間周波信号を入力地上デジタルテレビジョン放送信号よりも低い周波数に周波数変換し、それよりも高い周波数の出力地上デジタルテレビジョン放送信号に周波数変換しているので、第２局部発振信号と出力地上デジタルテレビジョン放送信号との周波数差を大きくすることができる。その結果、インダクタンス及びコンデンサによって構成された緩やかな周波数特性のフィルタを、ＵＨＦ帯用のバンドパスフィルタ６６、周波数可変フィルタ６８、６８ａに使用しても、第２局部発振信号を出力側ミキサ６２の出力信号から除去することができる。また、第１及び第２局部発振信号は、いずれもＧＨｚ帯のものではないので、出力地上デジタルテレビジョン放送信号が、局部発振信号の位相雑音劣化や周波数偏差の影響を受けにくい。
【００３７】
上記の実施形態では、入力端子２に供給される入力地上デジタルテレビジョン放送信号が１波の場合について説明したが、複数波の入力地上デジタルテレビジョン放送信号を同時に入力端子２に供給し、同時に複数の入力地上デジタルテレビジョン放送信号を周波数変換することもできる。
【００３８】
上記の実施形態では、第１局部発振信号１ｓｔＬＯを入力地上デジタルテレビジョン放送信号ｆ１の中心周波数に、５７ＭＨｚを加算した値としたが、入力地上デジタルテレビジョン放送信号ｆ１の中心周波数から５７ＭＨｚを減算した値を周波数に持つものとすることができる。同様に、第２局部発振信号２ｎｄＬＯも、第２中間周波信号ｆＩＦ２の中心周波数から第１中間周波信号ｆＩＦ１の中心周波数を加算した値を周波数とするものとすることができるし、第３局部発振信号３ｒｄＬＯも、出力地上デジタルテレビジョン放送信号ｆｃの中心周波数から第２中間周波信号ｆＩＦ２の中心周波数を減算した値を周波数とするものとすることができる。
【００３９】
上記の実施形態では、入力地上デジタルテレビジョン放送信号を、ＵＨＦ帯、ミッドバンド、スーパーハイバンド及びＶＨＦ帯のいずれかの出力地上デジタルテレビジョン放送信号に周波数変換するために、出力側ミキサ６２の出力側にＵＨＦ帯用バンドパスフィルタ６６、ミッドバンド用バンドパスフィルタ７０、７０ａ、スーパーハイバンド用バンドパスフィルタ７２、７２ａ、ＶＨＦ帯用バンドパスフィルタ７４、７４ａを設けたが、出力地上デジタルテレビジョン放送信号の周波数帯がＵＨＦ帯、ミッドバンド、スーパーハイバンド及びＶＨＦ帯のいずれか１つに予め定められている場合には、その周波数帯用のバンドパスフィルタのみを設けることができる。
【符号の説明】
【００４１】
１８  入力側ミキサ（第１周波数変換手段）
２６  入力側局部発振回路（第１局部発振手段）
５２  中間側ミキサ（第２周波数変換手段）
５４  中間側発振回路（第２局部発振手段）
６２  出力側ミキサ（第３周波数変換手段）
６４  出力側発振回路（第３局部発振手段）
【図１】
0005634830.tif 000002
【図２】
0005634830.tif 000003
【図３】
0005634830.tif 000004
【図４】
0005634830.tif 000005
【図５】
0005634830.tif 000006